(57)【特許請求の範囲】
【請求項１】
システムキッチンの水切り吊り戸棚ユニットにおいて、
前記システムキッチンのシンクの上方に設けられた水切り棚と、
前記水切り棚に隣接して設けられた有底棚と、
前記有底棚の前面から前記水切り棚の前面に亘って延びる一対のガイドレールと、
通常状態において前記有底棚の前面を覆うためのパネルであって、前記一対のガイドレールに沿って滑動自在に構成された移動パネルとを備え、
前記移動パネルは、滑動させることなくそのままの位置で前記一対のガイドレールに対して着脱自在に構成され、
前記移動パネルは、
前記一対のガイドレールのうち一方のガイドレールの案内面に当接して回転する第１回転ローラーと、
他方のガイドレールの案内面に当接して回転する第２回転ローラーと、
前記第１回転ローラーおよび前記第２回転ローラーのうち一方の回転ローラーを対応する案内面に向かって付勢するための付勢手段とを有し、
前記移動パネルが前記一対のガイドレールに取り付けられた状態において、前記第１回転ローラーは上側に配置された前記一方のガイドレールの案内面に上側から当接し、前記第２回転ローラーは下側に配置された前記他方のガイドレールの案内面に下側から付勢されて当接し、
前記一対のガイドレールから前記移動パネルを取り外す際に、前記一対のガイドレールの任意の位置において前記移動パネルを上方へ移動させた後に、前記移動パネルの上端部を手前に引くことを特徴とする水切り吊り戸棚ユニット。
【請求項２】
前記第１回転ローラーおよび前記第２回転ローラーは、それぞれ水平方向に沿って間隔を隔てた一対のローラーを有することを特徴とする請求項１に記載の水切り吊り戸棚ユニット。
【発明の詳細な説明】
【０００１】
【発明の属する技術分野】
本発明はシステムキッチンの水切り吊り戸棚ユニットに関し、特にシステムキッチンのウォールキャビネットの下側に隣接して設けられるアイレベルの水切り吊り戸棚ユニットに関するものである。
【０００２】
【従来の技術】
一般に、システムキッチンでは、カウンタおよびシンクの上方にウォールキャビネットと呼ばれる吊り戸棚が設けられ、レンジの上方にレンジフードが設けられている。また、ある種のシステムキッチンでは、ウォールキャビネットの下側に隣接して、水切り吊り戸棚ユニットが設けられている。
【０００３】
水切り吊り戸棚ユニットは、シンクの上方に設けられた水切り棚と、その片側または両側に設けられた通常の有底棚（水切り棚とは異なり水が漏出することのない底部を有する棚）とから構成されている。なお、ウォールキャビネットの高さ位置は、その下面がレンジフードの下面とほぼ一致するように設定されている。
【０００４】
一方、レンジフードの高さ位置は、そのフィルター部とレンジの上面とが消防法の規定により所定の間隔（たとえば８００mm）を隔てるように設定されている。したがって、ウォールキャビネットの下面の高さ位置は必然的に床面から１６５０mm程度になり、水切り吊り戸棚ユニットの高さ位置は、いわゆるアイレベル（システムキッチンで調理する人の平均的な眼の高さ位置に基づいて規定されるレベル）になる。
【０００５】
【発明が解決しようとする課題】
上述のように、従来のシステムキッチンでは、ウォールキャビネットの下側に隣接してアイレベルに水切り吊り戸棚ユニットを設ける構成が提案されている。しかしながら、有効に利用可能な水切り吊り戸棚ユニットの構成についてあまり提案がなされていないのが現状である。
【０００６】
本発明は、前述の課題に鑑みてなされたものであり、有効に利用可能なシステムキッチンの水切り吊り戸棚ユニットを提供することを目的とする。特に、一対のガイドレールの一端を越えて移動させることなく移動パネルの取り外しを行うことのできる、システムキッチンの水切り吊り戸棚ユニットを提供することを目的とする。
【０００７】
【課題を解決するための手段】
前記課題を解決するために、本発明では、システムキッチンの水切り吊り戸棚ユニットにおいて、
前記システムキッチンのシンクの上方に設けられた水切り棚と、
前記水切り棚に隣接して設けられた有底棚と、
前記有底棚の前面から前記水切り棚の前面に亘って延びる一対のガイドレールと、
通常状態において前記有底棚の前面を覆うためのパネルであって、前記一対のガイドレールに沿って滑動自在に構成された移動パネルとを備え、
前記移動パネルは、滑動させることなくそのままの位置で前記一対のガイドレールに対して着脱自在に構成され、
前記移動パネルは、
前記一対のガイドレールのうち一方のガイドレールの案内面に当接して回転する第１回転ローラーと、
他方のガイドレールの案内面に当接して回転する第２回転ローラーと、
前記第１回転ローラーおよび前記第２回転ローラーのうち一方の回転ローラーを対応する案内面に向かって付勢するための付勢手段とを有し、
前記移動パネルが前記一対のガイドレールに取り付けられた状態において、前記第１回転ローラーは上側に配置された前記一方のガイドレールの案内面に上側から当接し、前記第２回転ローラーは下側に配置された前記他方のガイドレールの案内面に下側から付勢されて当接し、
前記一対のガイドレールから前記移動パネルを取り外す際に、前記一対のガイドレールの任意の位置において前記移動パネルを上方へ移動させた後に、前記移動パネルの上端部を手前に引くことを特徴とする水切り吊り戸棚ユニットを提供する。
【０００８】
本発明の好ましい態様によれば、前記第１回転ローラーおよび前記第２回転ローラーは、それぞれ水平方向に沿って間隔を隔てた一対のローラーを有する。
【００１１】
【発明の実施の形態】
本発明では、有底棚の前面から水切り棚の前面に亘って延びる一対のガイドレールに沿って、滑動自在に構成された移動パネルを備えている。そして、通常状態において有底棚の前面を覆うための移動パネルが、滑動させなくてもそのままの位置で一対のガイドレールに対して着脱自在に構成されている。具体的には、移動パネルは、一方のガイドレールの案内面に当接して回転する第１回転ローラーと、他方のガイドレールの案内面に当接して回転する第２回転ローラーとを有する。そして、ばねのような適当な付勢手段の作用により、第１回転ローラーまたは第２回転ローラーが対応する案内面に向かって付勢されている。
【００１２】
さらに、具体的な１つの態様によれば、移動パネルが一対のガイドレールに取り付けられた状態において、第１回転ローラーは上側に配置されたガイドレールの案内面に上側から当接している。また、第２回転ローラーは、下側に配置されたガイドレールの案内面に下側から付勢されて当接している。したがって、この場合、一対のガイドレールの任意の位置において移動パネルを上方へある程度移動させた後に、移動パネルの上端部を手前に引くことによって、一対のガイドレールから移動パネルを取り外すことができる。
【００１３】
また同様に、具体的な別の態様によれば、移動パネルが一対のガイドレールに取り付けられた状態において、第１回転ローラーは上側に配置されたガイドレールの案内面に下側から付勢されて当接している。また、第２回転ローラーは、下側に配置されたガイドレールの案内面に上側から当接している。したがって、この場合、一対のガイドレールの任意の位置において移動パネルを上方へある程度移動させた後に、移動パネルの下端部を手前に引くことによって、一対のガイドレールから移動パネルを取り外すことができる。
【００１４】
以上のように、本発明にかかるシステムキッチンの水切り吊り戸棚ユニットでは、一対のガイドレールの一端を越えて移動させることなく移動パネルの取り外しを行うことができる。また、上述の取り外し操作を逆の順序にしたがって行うことにより、ガイドレールの任意の位置において移動パネルの取り付けを行うことができる。すなわち、本発明では、移動パネルを滑動させることなくそのままの位置で移動パネルの取り外しおよび取り付けを随時行うことができる。その結果、本発明では、たとえば有底棚に隣接して壁があるような場合にも、ガイドレールを取り外すことなく移動パネルだけを取り外して、修理を含むメンテナンスを容易に行うことができる。
なお、第１回転ローラーおよび第２回転ローラーがそれぞれ水平方向に沿って間隔を隔てた一対のローラーを有する構成を採用することにより、移動パネルの安定した滑動動作を実現することができる。
【００１５】
本発明の実施例を、添付図面に基づいて説明する。
図１は、本発明の実施例にかかる水切り吊り戸棚ユニットを備えたシステムキッチンの全体構成を概略的に示す斜視図である。
図１に示すシステムキッチン１は、壁３に沿って床２の上に載置されたベースキャビネット４を備えている。ベースキャビネット４の上部には、システムキッチン１に向かって左側からレンジ５およびカウンタ６が設けられ、カウンタ６のほぼ中央にはシンク７が形成されている。また、シンク７に隣接して、たとえば湯水混合型の水栓８が設けられている。
【００１６】
さらに、レンジ５の上方にはレンジフード９が設けられ、このレンジフード９に隣接してカウンタ６およびシンク７の上方にはウォールキャビネット１０が設けられている。レンジフード９およびウォールキャビネット１０はともに壁３に取り付けられ、レンジフード９の下面とウォールキャビネット１０の下面とがほぼ一致するように設定されている。なお、レンジフード９の高さ位置は、そのフィルター部（不図示）とレンジ５の上面（すなわち火の部分に対応する面）とが消防法の規定によりたとえば８００mm程度の間隔を隔てるように設定されている。したがって、レンジフード９の下面の高さ位置、ひいてはウォールキャビネット１０の下面の高さ位置は、床２の上面から１６５０mm程度になっている。
【００１７】
また、ウォールキャビネット１０の下側に隣接して、本実施例にかかる水切り吊り戸棚ユニット１１が設けられている。この水切り吊り戸棚ユニット１１は、レンジフード９およびウォールキャビネット１０と同様に、壁３に取り付けられている。水切り吊り戸棚ユニット１１は、シンク７の上方に設けられた水切り棚１１ａと、その両側に設けられた一対の有底棚（水切り棚１１ａとは異なり水が漏出することのない底部を有する棚）１１ｂおよび１１ｃとから構成されている。
また、水切り吊り戸棚ユニット１１の下面の高さ位置は、床２の上面から１４００mm程度になっている。換言すると、水切り吊り戸棚ユニット１１は、いわゆるアイレベルに設定されている。
【００１８】
以下、本実施例にかかる水切り吊り戸棚ユニット１１の詳細な構成について説明する。
図２は、本実施例にかかる水切り吊り戸棚ユニットの正面図であって、（ａ）は移動パネルが有底棚の前面を覆っている通常状態を、（ｂ）は移動パネルが水切り棚の前面を覆っている有底棚の開放状態をそれぞれ示している。また、図３は図２の線Ａ−Ａに沿った水切り棚の断面図であり、図４は図２の線Ｂ−Ｂに沿った有底棚の断面図である。さらに、図５は移動パネルが有底棚の前面を覆っている通常状態における水切り吊り戸棚ユニットの斜視図であり、図６は移動パネルが有底棚の前面から水切り棚の前面に向かって移動している状態における水切り吊り戸棚ユニットの斜視図である。
【００１９】
図２に示すように、水切り吊り戸棚ユニット１１は、シンク７の上方に設けられた水切り棚１１ａと、その両側に設けられた一対の有底棚１１ｂおよび１１ｃとから構成されている。ここで、水切り棚１１ａの上面および下面と、一対の有底棚１１ｂおよび１１ｃの上面および下面とがほぼ一致するように設定されている。また、水切り棚１１ａの前面から一対の有底棚１１ｂおよび１１ｃの前面に亘って（すなわち図２中左側の有底棚１１ｂの左端から図２中右側の有底棚１１ｃの右端まで）、一対のガイドレール２１および２２が水平方向に沿って設けられている。なお、上側のガイドレール２１はその上面と水切り棚１１ａの上面とがほぼ一致するように設定され、下側のガイドレール２２はその下面と水切り棚１１ａの下面とがほぼ一致するように設定されている。
【００２０】
一対のガイドレール２１および２２には、一対の移動パネル（いわゆる滑動式の扉）２３および２４が滑動自在に取り付けられている。ここで、図２中左側の移動パネル２３は同じく左側の有底棚１１ｂの前面を覆うように寸法決めされ、図２中右側の移動パネル２４は同じく右側の有底棚１１ｃの前面を覆うように寸法決めされている。そして、図２（ａ）に示すように、水切り吊り戸棚ユニット１１の通常状態では、左側の移動パネル２３が左側の有底棚１１ｂの前面を覆うとともに、右側の移動パネル２４が右側の有底棚１１ｃの前面を覆う。一方、図２（ｂ）に示すように、一対の有底棚１１ｂおよび１１ｃの開放状態では、左側の移動パネル２３が左側の有底棚１１ｂの前面から図２中右側へ滑動して水切り棚１１ａの左側半分を覆うとともに、右側の移動パネル２４が右側の有底棚１１ｃの前面から図２中左側へ滑動して水切り棚１１ａの右側半分を覆う。
【００２１】
また、図３に示すように、通常状態においてオープン形式の水切り棚１１ａは、下段に設けられた水切り棚要素３１と中段に設けられた水切り棚要素３２とを備えている。下段の水切り棚要素３１は、水平面に沿って間隔を隔てて配置された複数の棒状部材からなる水切り棚部分３１ａと、下方を照明するための、ひいてはシンク７で作業する人の手元を照明するための照明部３１ｂとを有する。また、中段の水切り棚要素３２は、水平面に沿って間隔を隔てて配置された複数の棒状部材から構成されている。
【００２２】
一方、図４に示すように、通常状態において前面が移動パネル２３によって覆われた有底棚１１ｂは、下段に設けられた棚要素４１と中段に設けられた棚要素４２とを備えている。下段の棚要素４１は、水切り棚１１ａの下段の水切り棚部分３１ａとは異なり、水が漏出することのない底部、すなわち有底棚要素を構成している。また、中段の棚要素４２も同様に、第２の有底棚要素を構成している。なお、右側の有底棚１１ｃは左側の有底棚１１ｂと同様の構成を有するので、重複する説明を省略する。
【００２３】
次に、移動パネルの詳細な構成およびその取り外し動作について説明する。
図７は、一対のガイドレールに取り付けられた移動パネルの中間断面図である。また、図８は、図７の線Ｃ−Ｃに沿った矢視図である。
図７および図８を参照すると、移動パネル７１（図２の移動パネル２３および２４に対応）は、その四隅において回転自在に取り付けられた回転ローラー７２〜７５を備えている。
【００２４】
さらに詳細には、４つの回転ローラーのうち移動パネル７１の上側に配置された一対の回転ローラー７２および７３は、移動パネル７１に固定的に取り付けられた固定アーム８１および８２に、ベアリング（不図示）を介して回転自在に取り付けられている。また、移動パネル７１の下側に配置された一対の回転ローラー７４および７５は、移動パネル７１に対してピボット８３および８４を中心として揺動自在に取り付けられた揺動アーム８５および８６に、ベアリング（不図示）を介して回転自在に取り付けられている。
【００２５】
そして、移動パネル７１の上側に取り付けられた一対の回転ローラー７２および７３は、上側のガイドレール２１の案内面２１ａに上側から当接している。一方、移動パネル７１の下側に取り付けられた一対の回転ローラー７４および７５は、下側のガイドレール２２の案内面２２ａに下側から付勢されて当接している。すなわち、下側に配置された一対の回転ローラー７４および７５は、付勢手段としてのコイルばね７６および７７の作用により、下側のガイドレール２２の案内面２２ａに向かって下側から付勢されている。
【００２６】
また、移動パネル７１の上端および下端には一対の折返し部７１ａおよび７１ｂが形成され、移動パネル７１の中段にはハンドル７１ｃが形成されている。したがって、たとえば調理に関する本などをハンドル７１ｃの内側を通して下端の折返し部７１ｂで支持することができる。すなわち、下端の折返し部７１ｂおよびハンドル７１ｃは、移動パネル７１の前面に調理用の本などを保持する機構を構成している。その結果、調理位置の移動に伴って移動パネル７１も移動させることにより、常に調理する人の眼の前に調理の本を提示することができる。
【００２７】
こうして、本実施例の水切り吊り戸棚ユニット１１では、一対のガイドレール２１および２２の任意の位置において、図７の矢印８７に示すように移動パネル７１を上方へ所定距離だけ移動させた後に、図７の矢印８８に示すように移動パネル７１の上端部を手前に引くことによって、上側のガイドレール２１から一対の回転ローラー７２および７３を取り外すことができる。次いで、移動パネル７１を下方へ所定距離だけ移動させた後に、移動パネル７１の下端部を手前に引くことによって、下側のガイドレール２２から一対の回転ローラー７４および７５を取り外すことができる。また、上述の取り外し操作を逆の順序にしたがって行うことにより、一対のガイドレール２１および２２の任意の位置において移動パネル７１の取り付けを行うことができる。
【００２８】
以上のように、本実施例にかかる水切り吊り戸棚ユニット１１では、一対のガイドレール２１および２２の任意の位置において滑動させることなくそのままの位置で移動パネル７１の取り外すとともに、一対のガイドレール２１および２２の任意の位置において移動パネル７１の取り付けを行うことができる。換言すると、本実施例では、移動パネル７１を滑動させることなくそのままの位置で移動パネルの取り外しおよび取り付けを随時行うことができるので、有底棚に隣接して壁があるような場合にも移動パネルの取り外しおよび取り付けに際して壁の影響を受けることがなく、修理を含むメンテナンスを容易に行うことができる。
【００２９】
なお、上述の実施例では、システムキッチンに本発明の水切り吊り戸棚ユニットを適用した例を示しているが、システムキッチン以外の製品に組み込んだ水切り吊り戸棚ユニットに、あるいは水切り吊り戸棚ユニット単体に本発明を適用することができることはいうまでもない。
また、上述の実施例では、水切り棚の両側に有底棚を配置した例を示しているが、水切り棚の片側に有底棚を配置した例を含めた様々な変形例が本発明の範囲内において可能である。
【００３０】
【発明の効果】
以上説明したように、本発明では、一対のガイドレールの一端を越えて移動させることなく、移動パネルの取り外しを行うことができる。また、取り外し操作を逆の順序にしたがって行うことにより、ガイドレールの任意の位置において移動パネルの取り付けを行うことができる。すなわち、本発明では、移動パネルを滑動させることなくそのままの位置で移動パネルの取り外しおよび取り付けを随時行うことができる。その結果、本発明では、たとえば有底棚に隣接して壁があるような場合にも、ガイドレールを取り外すことなく移動パネルだけを取り外して、修理を含むメンテナンスを容易に行うことができる。
【００３１】
また、移動パネルの前面に調理用の本などを保持する機構を構成し、調理位置の移動に伴って移動パネルも移動させることにより、常に調理する人の眼の前に調理の本を提示することができる。
さらに、移動パネルの上側に配置される第１回転ローラーおよび下側に配置される第２回転ローラーがそれぞれ水平方向に沿って間隔を隔てた一対のローラーを有する構成を採用することにより、移動パネルの安定した滑動動作を実現することができる。
【図面の簡単な説明】
【図１】本発明の実施例にかかる水切り吊り戸棚ユニットを備えたシステムキッチンの全体構成を概略的に示す斜視図である。
【図２】本実施例にかかる水切り吊り戸棚ユニットの正面図であって、（ａ）は移動パネルが有底棚の前面を覆っている通常状態を、（ｂ）は移動パネルが水切り棚の前面を覆っている有底棚の開放状態をそれぞれ示している。
【図３】図２の線Ａ−Ａに沿った水切り棚の断面図である。
【図４】図２の線Ｂ−Ｂに沿った有底棚の断面図である。
【図５】移動パネルが有底棚の前面を覆っている通常状態における水切り吊り戸棚ユニットの斜視図である。
【図６】移動パネルが有底棚の前面から水切り棚の前面に向かって移動している状態における水切り吊り戸棚ユニットの斜視図である。
【図７】一対のガイドレールに取り付けられた移動パネルの中間断面図である。
【図８】図７の線Ｃ−Ｃに沿った矢視図である。
【符号の説明】
１    システムキッチン
２    床
３    壁
４    ベースキャビネット
５    レンジ
６    カウンタ
７    シンク
８    湯水混合水栓
９    レンジフード
１０  ウォールキャビネット
１１  水切り吊り戸棚ユニット
２１，２１  ガイドレール
２３，２４、７１  移動パネル
７２〜７５  回転ローラー
【図１】
0004149084.tif 000002
【図２】
0004149084.tif 000003
【図３】
0004149084.tif 000004
【図４】
0004149084.tif 000005
【図５】
0004149084.tif 000006
【図６】
0004149084.tif 000007
【図７】
0004149084.tif 000008
【図８】
0004149084.tif 000009